(57)【要約】【課題】測定ヘッドとこれを操作するモニタ部とが一体の場合でも、測定ヘッドに対するモニタ部の姿勢の自由度の向上を図ることができる検眼装置を提供する。【解決手段】本発明の検眼装置は、被検者に対面して上下左右前後方向に可動されかつ被検眼像を光学系６を介して観察しつつ検査を行う測定ヘッド３、被検眼像と操作ボタンとを少なくとも提示可能なタッチパネル式の表示画面２５を有するモニタ部１０、測定ヘッド３の頂部に設けられかつモニタ部１０が取り付けられしかも垂直軸回りに可動する垂直軸部と水平軸回りに回動する水平軸部とを有する取付部１１を備え、取付部１１は支持アームを有し、支持アームの基部が水平軸回りと垂直軸回りとに回動可能とされ、支持アームの先端部にモニタ部１０が取り付けられ、モニタ部１０と支持アームの為す角度が鈍角である。【選択図】  図１
2015110018.tif 000002
【特許請求の範囲】
【請求項１】
被検者に対面して上下左右前後方向に可動されかつ被検眼像を光学系を介して観察しつつ検査を行う測定ヘッドと、前記被検眼像と操作ボタンとを少なくとも提示可能なタッチパネル式の表示画面を有するモニタ部と、前記測定ヘッドの頂部に設けられかつ前記モニタ部が取り付けられしかも垂直軸回りに可動する垂直軸部と水平軸回りに回動する水平軸部とを有する取付部とを備え、
前記取付部は支持アームを有し、該支持アームの基部が前記水平軸回りと前記垂直軸回りとに回動可能とされ、前記支持アームの先端部に前記モニタ部が取り付けられ、該モニタ部と前記支持アームの為す角度が鈍角であることを特徴とする検眼装置。
【請求項２】
前記取付部は水平軸として機能する中空筒部と該中空筒部を支持する支承板を有し、該中空筒部に対して回動可能に前記支持アームが設けられ、前記中空筒部は前記支持アームに軸方向の抜け止めリング部材により前記支承板に固定され、前記中空筒部の貫通穴を通じて前記モニタ部と前記測定ヘッドとが電気的に接続されていることを特徴とする請求項１に記載の検眼装置。
【発明の詳細な説明】
【技術分野】
【０００１】
本発明は、モニタ部の姿勢の自由度の向上を図ることが可能な検眼装置に関する。
【背景技術】
【０００２】
従来から、検眼装置には、被検者に対面して上下左右前後方向に可動されかつ被検眼像を光学系を介して観察しつつ検査を行う測定ヘッドと、これを操作するジョイスティックを有しかつ被検者の被検眼像をモニタ部に表示する操作・表示ユニットとをケーブル接続することにより、測定ヘッドに対する操作・表示ユニットの配置の自由度を向上させた構成のものが知られている（例えば、特許文献１参照）。
【０００３】
また、類似の技術として、従来から、操作・表示ユニットとしてのコントローラ装置の本体部に対してモニタ部を回動可能の構成としたものも知られている。そのモニタ部の表示画面はタッチパネル画面とされ、そのタッチパネル画面には、操作ボタンと各種の画像情報とが表示される。
【０００４】
そのタッチパネル画面は、モニタ部の水平軸回りの回動により、検者に対面する側と被検者に対面する側とに向けられ、検者に対面する側に向けられたときと被検者に対面する側とに向けられたときとで、そのタッチパネル画面に表示されている画像情報が上下左右に反転され、かつ、回転前のボタンの位置と回転後のボタンの位置とが見た目上同じとなるような位置に制御回路により制御される（例えば、特許文献２参照。）。
【０００５】
また、医療技術の分野では、モニタ支持装置として、使用者が自身の姿勢に合うようにモニタ部を容易に移動させることができるものも知られている（例えば、特許文献３参照）。
更に、検眼装置の技術分野では、測定ヘッドの後部側にモニタ部を略垂直状態から水平状態まで傾斜可能に保持する保持手段を設ける技術も知られている（特許文献４参照）。
【先行技術文献】
【特許文献】
【０００６】
【特許文献１】特許第３６７６０５３号の図２参照
【特許文献２】特開２００７−６８５８３号公報の段落番号「００３３」参照
【特許文献３】特開２００７−３７９８１号公報
【特許文献４】特許第４５８７７４１号公報
【発明の概要】
【発明が解決しようとする課題】
【０００７】
しかしながら、その特許文献１の開示の技術は、測定ヘッドとこれを操作する操作・表示ユニットとが別体の構成であるので、測定ヘッドに対するモニタ部の配置の自由度は向上するものの、別々に持ち運ばなければならず、不便である。また、省スペース化を図り難く、被験者がいる側から操作するのも不便である。
【０００８】
例えば、被検者によっては、開瞼状態の悪い人がおり、このような被検者に対しては、検者が、被検者に寄り添って開瞼の手伝いを行っているが、被検者のいる側からはモニタ部の表示画面は見えず、測定効率の低下等を招いている。
【０００９】
そこで、その特許文献２の開示の技術を用いて、モニタ部と測定ヘッドとの一体化を図り、被検者に対面する側と検者に対面する側とにモニタ部の表示画面を向けることのできる構成とすることが考えられる。
【００１０】
このような構成とすると、検者に対面する側と被検者に対面する側とに表示画面を向けることができて、持ち運びが便利であり、かつ、省スペース化を図ることもできるが、測定ヘッドに対するモニタ部の姿勢が制限され、測定ヘッドとモニタ部とが別体であることによる自由度が減少する。
【００１１】
本発明は、上記の事情に鑑みて為されたもので、測定ヘッドとこれを操作するモニタ部との一体化を図った場合でも、姿勢変更作業の効率化を図りつつ、測定ヘッドに対するモニタ部の姿勢の自由度の向上を図ることができる検眼装置を提供することにある。
【課題を解決するための手段】
【００１２】
本発明の検眼装置は、被検者に対面して上下左右前後方向に可動されかつ被検眼像を光学系を介して観察しつつ検査を行う測定ヘッドと、前記被検眼像と操作ボタンとを少なくとも提示可能なタッチパネル式の表示画面を有するモニタ部と、前記測定ヘッドの頂部に設けられかつ前記モニタ部が取り付けられしかも垂直軸回りに可動する垂直軸部と水平軸回りに回動する水平軸部とを有する取付部とを備え、
その取付部は支持アームを有し、その支持アームの基部が水平軸回りと垂直軸回りとに回動可能とされ、支持アームの先端部にモニタ部が取り付けられ、このモニタ部と支持アームの為す角度が鈍角であることを特徴とする。
【００１３】
また、取付部は水平軸として機能する中空筒部とこの中空筒部を支持する支承板を有し、この中空筒部に対して回動可能に支持アームが設けられ、中空筒部は支持アームに軸方向の抜け止めリング部材により支承板に固定され、その中空筒部の貫通穴を通じてそのモニタ部とその測定ヘッドとが電気的に接続されることが望ましい。
【発明の効果】
【００１４】
本発明によれば、測定ヘッドとこれを操作するモニタ部との一体化を図った場合でも、姿勢変更作業の効率化を図りつつ、測定ヘッドに対するモニタ部の姿勢の自由度の向上を図ることができる。
【００１５】
特に、モニタ部が支持アームを介して取付部に取り付けられ、支持アームの基部を水平軸回りと垂直軸回りとに回動可能の構成としたので、姿勢変更作業が容易でありかつモニタ部が支持アームの先端部に固定されしかもモニタ部と支持アームとの為す角度が鈍角であるので、モニタ部の表示画面が検者に対面する側から被検者に対面する側への姿勢変更作業を支障なく行うことができる。
【００１６】
また、本発明によれば、水平状態を維持することもでき、何かの折には、軽い書類等を載せておくことができて便利でもある。
【図面の簡単な説明】
【００１７】
【図１】図１は検者が検眼装置を間に介して被検者に向かい合って検査を行う場合のモニタ部の姿勢を説明するための検眼装置の外観図であり、（ａ）はモニタ部の表示画面が検者の側に向けられている状態を示す側面図であり、（ｂ）は（ａ）に示す矢印Ａ方向からモニタ部の表示画面を目視した状態を示す説明図である。
【図２】図２は被検者の側に検者が立って検査を行う場合のモニタ部の姿勢を説明するための検眼装置の外観図であり、（ａ）はモニタ部の表示画面が被検者の側に向けられている状態を示す側面図であり、（ｂ）は（ａ）に示す矢印Ｂ方向からモニタ部の表示画面を目視した状態を示す説明図である。
【図３】図３は検眼装置の側面側に検者が立った状態で検査を行う場合のモニタ部の姿勢を説明するための検眼装置の外観図であり、（ａ）は（ｂ）に示す矢印Ｃ方向からモニタ部の表示画面を目視した状態を示す検眼装置の側面図であり、（ｂ）は被検者から見てモニタ部の表示画面が右側に向けられている状態を示す説明図である。
【図４】図４は検眼装置の側面側に検者が座った状態で検査を行う場合のモニタ部の姿勢を説明するための検眼装置の外観図であり、（ａ）は（ｂ）に示す矢印Ｄ方向からモニタ部の表示画面を目視した状態を示す側面図であり、（ｂ）は被検者から見てモニタ部の表示画面が右側に向けられている状態を示す説明図である。
【図５】図５は検眼装置の側面側から検者が座った状態で検査を行う場合のモニタ部の姿勢を説明するための検眼装置の外観図であり、（ａ）は（ｂ）に示す矢印Ｅ方向からモニタ部の表示画面を目視した状態を示す側面図であり、（ｂ）は被検者から見てモニタ部の表示画面が左側に向けられている状態を示す説明図である。
【図６】図６は図１ないし図５に示す取付部の内部の概略構造を示す斜視図である。
【図７】図７は取付部の取付けブラケット板部に回路基板を取り付けた状態の概略構成を示す斜視図である。
【図８】図８は図６に示す垂直筒部の取付け構造の概略構成を示す部分断面図である。
【図９】図９は図７に示す中空筒部の取付け構造の概略構成を示す断面図である。
【図１０】図１０は図７に示す取付部を側面から見た構成を示す図である。
【図１１】図１１は図７に示す回路基板に表側カバー部材を装着する状態を示す斜視図である。
【図１２】図１２は図１１に示す取付部に下側カバー部材を装着する直前の状態を示す斜視図である。
【図１３】図１３は図１１に示す取付部に下側カバー部材を装着した状態を示す斜視図である。
【図１４】図１４は図１３に示す取付部に裏側カバー部材を装着する直前の状態を示す斜視図である。
【図１５】図１５は図１３に示す取付部に裏側カバー部材を装着した状態を示す斜視図である。
【図１６】図１６は表示画面に表示される被検眼像と操作ボタンとの一例を示す説明図であって、アライメント完了後測定実行時の状態を示す図である。
【図１７】図１７は表示画面に表示される被検眼像と操作ボタンとの一例を示す説明図であって、アライメント完了前の被検眼像の状態を示す図である。
【図１８】図１８は本発明に係る検眼装置を壁際に配置した状態を示す斜視図である。
【図１９】図１９は本発明に係るモニタ部を水平に向けた状態を示す検眼装置の側面図である。
【発明を実施するための形態】
【実施例】
【００１８】
図１ないし図５において、１は検眼装置である。この検眼装置１は、ベース部２と測定ヘッド３と、顎受け部４とから概略構成されている。その顎受け部４にはこれと一体に額当て５が設けられている。
被検者は、顎受け部４に顎を置き、額当て５に額を当てた状態で検査を受ける。
【００１９】
測定ヘッド３の内部には、図１（ａ）、図２（ａ）等に破線で示すように公知の観察・撮影用の光学系６が設けられている。この光学系６により、被検者の前眼部、被検眼の角膜、眼底等が観察・撮影可能である。
【００２０】
測定ヘッド３の被検者に対面する側には、図２（ｂ）等に示すように、前眼部照明用の光源７が輪環状に配置されている。この光源７は、角膜形状を測定する測定光源としても用いられる。
【００２１】
ベース部２には、図１（ａ）、図２（ａ）等に破線で示すように測定ヘッド３を駆動する公知の駆動機構・駆動回路８が設けられている。
駆動機構・駆動回路８の駆動部には、例えば、図示を略すステッピングモータが用いられる。
【００２２】
測定ヘッド３は、後述するモニタ部を操作することにより、被検眼に対して上下左右前後方向に駆動される。その測定ヘッド３の頂部９には、図１ないし図５に示すように、モニタ部１０が設けられる。
【００２３】
その測定ヘッド３の頂部９には、図６に拡大して示すように、取付部１１が設けられている。この取付部１１は、板金製の垂直軸受け部材１２と板金製の水平軸受け部材１３とから大略構成されている。垂直軸受け部材１２は台座部１２ａと固定板部１２ｂ、１２ｂとから概略構成されている。
【００２４】
固定板部１２ｂ、１２ｂはネジ等の固定部材により測定ヘッド３の頂部９に固定される。その台座部１２ａには垂直筒部１４が例えば溶着手段により溶着固定されている。水平軸受け部材１３は、図６、図７に示すように、水平板部１３ａと一対の支承板部１３ｂ、１３ｂとから構成されている。
【００２５】
一対の支承板部１３ｂ、１３ｂは、水平板部１３ａから起立されている。その水平板部１３ａには、図７に示すように、その中央に円形開口１３ｃが形成されている。垂直筒部１４はこの円形開口１３ｃに挿通される。
【００２６】
その垂直筒部１４には、その外周に図８に部分的に拡大して示すように段差部１４ａが形成されている。水平板部１３ａはその円形開口１３ｃが垂直筒部１４に挿通される。その垂直筒部１４には、水平板部１３ａを挟むようにして摩擦リング板１５が挿通されると共に、この摩擦リング板１５と水平板部１３ａとを挟むようにして、抜け止めリング部材１５’が装着される。
【００２７】
水平板部１３ａは、その抜け止めリング部材１５’により垂直筒部１４に支承され、抜け止めリング部材１５’と摩擦リング板１５により垂直軸方向に適宜の圧力を受けつつ垂直筒部１４の軸回り方向に適宜の力を受けて回動可能とされ、その垂直軸回り方向適宜の位置で停止状態を維持可能とされている。
【００２８】
その支承板部１３ｂ、１３ｂには、図６、図７に示すように、支持アーム部材１３ｄが回動可能に支承される。支持アーム部材１３ｄは一対のアーム板部１３ｅ、１３ｆと取付けブラケット板部１３ｇとから大略構成されている。
【００２９】
アーム板部１３ｅには水平軸部１３ｈが設けられている。アーム板部１３ｆには円形開口１３ｊが形成されている。
水平軸部１３ｈは支承板部１３ｂの一方に水平軸回り方向に回動可能に支承されている。その水平軸部１３ｈには公知のトルクヒンジ部材が用いられる。このトルクヒンジ部材により水平軸回りの回動力の調整を行うことができる。
【００３０】
支承板部１３ｂの他方には、円形開口１３ｊに対向する円形開口１３ｋが形成されている。その円形開口１３ｊ、１３ｋには、図６〜図８に示すように中空筒部１９が挿通されている。
【００３１】
この中空筒部１９は支承板部１３ｂの他方に固定され、支持アーム部材１３ｄはこの中空筒部１９と水平軸部１３ｈとにより水平軸回りに回動可能とされている。
【００３２】
その中空筒部１９には、例えば、図９に示すようにその軸方向に間隔を開けて環状溝２０、２０が形成されている。この環状溝２０、２０には軸方向の抜け止めリング部材としてのＣ形止め輪２１、２１が装着される。これにより、中空筒部１９は支承板部１３ｂに対する軸方向の抜け止めが図られている。
【００３３】
その中空筒部１９には、樹脂製の軸受けフランジ部材２２が貫挿される。支持アーム部材１３ｄは、この軸受けフランジ部材２２に適宜の力を受けて回動可能に摺接されている。
【００３４】
なお、図９において、符号１３ｆ’はアーム板部１３ｆに屈曲形成された屈曲板部であり、円形開口１３ｊはこの屈曲板部１３ｆ’に形成され、アーム板部１３ｆはこの屈曲板部１３ｆ’を介して中空筒部１９に回動可能に支承される。
【００３５】
その中空筒部１９を回動可能に支承する支承板部１３ｂには、図６、図１０に拡大して示すように、水平軸回り方向に間隔を開けて一対の突起部１３ｍ、１３ｍが形成されている。図１０に示すように、この突起部１３ｍと突起部１３ｍとの間にＣ形止め輪２１の開放端部２１ａ、２１ａが配置されている。
【００３６】
中空筒部１９は、そのＣ形止め輪２１の開放端部２１ａ、２１ａが配置されることにより、中空筒部１９の水平軸回り方向の回転が防止され、中空筒部１９の耐久性の向上が図られている。
【００３７】
その中空筒部１９の貫通穴１９ａ、垂直筒部１４の貫通穴１４ａを通じて、モニタ部１０と測定ヘッド３とを電気的に接続するリード線１６ｂが図６に示すように引き出される。これにより、モニタ部１０の回動操作に伴うリード線１６ｂのねじれが防止される。
【００３８】
取付けブラケット板部１３ｇは、図６、図７、図９に示すように、一対のアーム板部１３ｅ、１３ｆに跨って配置されている。その取付けブラケット板部１３ｇには、図１１に示すように、回路基板２３が配設されている。
【００３９】
この回路基板２３はその裏側が制御回路ユニット２４の配設部とされ、その表側が図１（ｂ）、図２（ｂ）、図３（ａ）、図４（ａ）、図５（ａ）に示す表示画面２５とされている。
【００４０】
取付けブラケット板部１３ｇと一対のアーム板部１３ｅ、１３ｆの為す角度は鈍角である。モニタ部と支持アームとの為す角度が鈍角であるので、モニタ部１０の検者に対面する側から被検者に対面する側への姿勢変更作業を支障なく行うことができる。
【００４１】
アーム板部１３ｅと支承板部１３ｂとには、図６に示すように、モニタ部１０の水平軸回りの回動を検出する検出センサー２５ａ、２５ｂが設けられている。
【００４２】
この検出センサ−２５ａ、２５ｂは、例えば、モニタ部１０が水平状態のときにオンし、水平状態から所定角度を超えたときに、オフする構成とされている。
【００４３】
制御回路ユニット２４は、その検出センサー２５ａ、２５ｂと協働してモニタ部１０が水平軸回りに回動されて、その表示画面２５が逆さまになる前と逆さまになったときとで、被検眼像と操作ボタンとの見た目上の位置が同じ位置となるようにかつ表示画面２５に表示される画像情報が上下左右反転するように制御する。
【００４４】
制御回路ユニット２４は、例えば、その検出センサー２５ａ、２５ｂによる出力信号の立ち上がりと立ち下がりを検出すると、その表示画面２５による画像情報が上下左右反転するように制御する。
その表示画面２５に表示される操作ボタン、被検眼像の詳細については後述する。
【００４５】
その回路基板２３の表側には、図１１ないし図１３に示すように、表側カバー枠部材２６がネジ等の固定部材により取り付けられる。これにより、回路基板２３の周辺部が化粧される。なお、その図１１は表側カバー部材２６の取付け前の状態を示している。
また、支持アーム部材１３ｄの取付けブラケット板部１３ｇには、図１２、図１３に示すように、その裏側かつ下側を被覆する下側カバー部材２７が設けられる。
【００４６】
下側カバー部材２７は、下部カバー部２７ａと取付けアーム部２７ｂと背面被覆部２７ｃとを有する。下側カバー部材２７は、取付けブラケット板部１３ｇに取付けアーム部２７ｂにネジ等の固定手段により取り付けられる。なお、図１２は下側カバー部材２７の取付け直前の状態を示し、図１３は下側カバー部材２７の取付け後の状態を示している。
【００４７】
その回路基板２３の裏側には、図１４、図１５に示すように、その回路基板２３の裏側を被覆する裏側カバー部材２８がネジ等の固定部材により取り付けられる。
その裏側カバー部材２８は取付部１１を被覆する被覆部２８ａを有する。これにより、回路基板２３の裏側と取付部１１の側面部とが化粧される。
なお、図１４は裏側カバー部材２８を回路基板２３に取り付ける前の状態を示し、図１５は裏側カバー部材２８をその回路基板２３に取り付け後の状態を示している。
【００４８】
ここでは、表示画面２５は、図１６に拡大して示すように、矩形状とされている。その表示画面２５には、被検眼像等表示領域２５ｃと操作ボタン表示領域とが設けられている。被検眼像等表示領域２５ｃには、その画面中央に矩形状の目標エリアマーク２５ｇと最小瞳孔径判定マーク２５ｈとが表示されている。
操作ボタン表示領域は、表示画面２５に向かってその被検眼像等表示領域２５ｃを挟んでその左右両辺部と被検眼像等表示領域２５ｃの下辺部とに設けられている。
【００４９】
操作ボタン表示領域には、表示画面２５に向かって左側の表示領域２５ｄにキーボードボタンＢ１、ＲボタンＢ２、顎受け上下動ボタンＢ３、測定モードボタンＢ４が配置されている。表示画面２５に向かって右側の表示領域２５ｅにセットアップボタンＢ５、ＬボタンＢ６、測定ヘッド３を前後動させる測定ヘッド前後ボタン（Ｚ方向ボタン）Ｂ７、スタートボタンＢ８、マニュアル・オート切り替えボタンＢ９が配置されている。
【００５０】
表示画面２５に向かって下辺部の表示領域２５ｆに白内障ボタンＢ１０、ターゲット像ボタンＢ１１、角膜直径ボタンＢ１２、プリントボタンＢ１３、グラフィックプリントボタンＢ１４、観察像表示ボタンＢ１５、全測定値クリアボタンＢ１６が配置されている。
【００５１】
キーボードボタンＢ１は患者のＩＤを入力するのに用い、測定モードボタンＢ４は、レフ（眼屈折力）、ケラト（角膜形状）、レフ／ケラトのいずれかの測定モードに切り替えるのに用い、ＲボタンＢ２は右眼を選択するのに用い、ＬボタンＢ６は左眼を選択するのに用い、スタートボタンＢ８はマニュアルモード時に測定を開始させるのに用い、セットアップボタンＢ５はセットアップ画面を表示するのに用いられる。
【００５２】
白内障ボタンＢ１０は白内障等があって測定エラーが生じやすいときに用いられ、ターゲット像ボタンＢ１１は記憶している測定ターゲットを表示画面２５に表示させる際に用いられ、角膜直径ボタンＢ１２は角膜の直径を測定するモードに切り替える際に用いる。
【００５３】
プリントボタンＢ１３は測定結果をプリントアウトするのと紙送りをするのとに用いられ、グラフィックプリントボタンＢ１４は屈折状態示す図形をプリントアウトするのに用いられ、観察像表示ボタンＢ１５は観察像を表示するのに用いられ、全測定値クリアボタンＢ１６は全測定値をクリアするのに用いられる。
【００５４】
顎受け上下動ボタンＢ３は、顎受け部４の高さを上下動させて、被検者の被検眼の高さを調整するのに用いられる。測定ヘッド前後ボタン（Ｚ方向ボタン）Ｂ７は被検眼に対して測定ヘッド３を前後方向に駆動させる際に用いられる。
なお、最小瞳孔径判定マーク２５ｈは、この最小瞳孔径判定マーク２５ｈ以下の瞳孔径の場合、測定を中止するのに用いられる。
【００５５】
被検眼像等表示領域２５ｃには、観察中の前眼部像の他、測定結果やその他検査に関連する文字、記号、符号等の他、図形等の画像が適宜表示される。
その図１６には、ここでは、被検者の前眼部像Ｇｆと測定結果Ｓ，Ｃ、Ａが表示され、その図１６において、Ｇｆ’は虹彩像、Ｇｆ”は瞳孔像である。また、Ｐ１は角膜輝点像、Ｐ２はアライメント指標像である。
【００５６】
制御回路ユニット２４は、例えば、図１７に示すように、前眼部像Ｇｆの観察モードのときに、検者が指等でその被検眼像等表示領域２５ｃをタッチすると、タッチ箇所ｔｐに対応する画像部位が画面中心Ｇ０に位置するように、測定ヘッド３を上下左右に駆動し、これにより、被検眼像の瞳孔像Ｇｆ”が画面中央に位置するように制御される。
【００５７】
制御回路ユニット２４は、例えば、画面中心Ｇ０からタッチ箇所ｔｐまでの画面上での距離Ｌを演算し、この距離Ｌに基づいて左右方向ステッピングモータと上下方向ステッピングモータとを駆動制御することにより、被検眼に対して測定ヘッド３を上下左右に移動させる。
【００５８】
ここでは、制御回路ユニット２４は、第１回目のタッチで測定ヘッド３を高速駆動し、第２回目のタッチで低速駆動するようにステッピングモータを駆動する。
というのは、第１回目のタッチの際には、画面中心Ｇ０と瞳孔中心ＰＤＯとの距離が大きく、測定の迅速化を図るために高速駆動するのが望ましいが、第２回目のタッチの際には、画面中心Ｇ０と瞳孔中心ＰＤＯとの距離は小さいと考えられ、瞳孔中心ＰＤＯが目標エリアマーク２５ｇ内に正確に入るように測定ヘッド３を制御するのには、低速駆動が望ましいからである。
【００５９】
制御回路ユニット２４は、目標エリアマーク２５ｇの近傍に瞳孔中心ＰＤＯが位置して、角膜輝点像Ｐ１が検出されると、角膜輝点像Ｐ１の検出位置と画面中心Ｇ０との距離に基づいて自動的に測定ヘッド３が上下左右方向に駆動されると共に、角膜輝点像Ｐ１のピントが合焦するように、測定ヘッド３が前後方向に駆動され、角膜輝点像Ｐ１が目標エリアマーク２５ｇ内に入りかつ角膜輝点像Ｐ１の出力値が所定値を超えると測定が自動的に実行される。
【００６０】
モニタ部１０の姿勢が図１に示す姿勢の状態から図２に示す姿勢になるようにモニタ部１０を回動させると、又は、モニタ部１０の姿勢が図３、図４に示す姿勢の状態から図５に示す姿勢の状態になるようにモニタ部１０を回動させると、モニタ部１０が水平軸回りに回動されて表示画面２５が逆さまになる前と逆さまになったときとで被検眼像と操作ボタンとの見た目上の位置が同じ位置となるようにかつ表示画面２５に表示される画像情報が上下左右反転するように制御され、結果として、図１、図３、図４に示すモニタ部１０の姿勢のときの表示画面２５と図２、図５に示す姿勢のときの表示画面２５とは、図１６、図１７に示すように見た目上同じとなる。
【００６１】
この実施例によれば、被検者から見て測定ヘッド３の右側にモニタ部１０の表示画面２５を向けた場合、測定ヘッド３の左側にモニタ部１０の表示画面２５を向けた場合には、図３、図４に一例として示すように、検者が立った状態で測定作業、座った状態で測定作業を行うことができるので便利である。
また、取付部１１の支持アーム部材１３ｄの基部から先端までの長さをより一層長くすれば、図１、図４、図５に一例として示すように、検者が座って操作する場合に、モニタ部１０の表示画面２５をより一層検者に近づけることができるので、タッチパネルの操作に便利である。
【００６２】
また、この実施例によれば、図１８に示すように、室内の隅部の壁３０に沿って検眼用テーブル３１を設け、検眼装置１を配設した場合でも、被検者の背後又は測定ヘッド３の側面からモニタ部１０の表示画面２５にタッチして測定ヘッド３を制御できるので、室内が狭い場合でも検眼測定を行うことができ、省スペース化を図ることができる。
【００６３】
更に、この検眼装置１によれば、図１９に示すように、モニタ部１０を水平状態に保ったときに、処方箋等の軽い書類を載せておくのにも用いることができるという点でも便利である。
【００６４】
モニタ部１０の表示画面２５が被検者に対面する側に向けられて、被検者が顎受けに顔を固定する前等に、図２（ｂ）に示すように、「固視標を見てください。」等のガイドメッセージを表示画面２５に表示させる構成としても良い。
【符号の説明】
【００６５】
３…測定ヘッド
６…光学系
１０…モニタ部
１１…取付部
２５…表示画面
【図１】
2015110018.tif 000003
【図２】
2015110018.tif 000004
【図３】
2015110018.tif 000005
【図４】
2015110018.tif 000006
【図５】
2015110018.tif 000007
【図６】
2015110018.tif 000008
【図７】
2015110018.tif 000009
【図８】
2015110018.tif 000010
【図９】
2015110018.tif 000011
【図１０】
2015110018.tif 000012
【図１１】
2015110018.tif 000013
【図１２】
2015110018.tif 000014
【図１３】
2015110018.tif 000015
【図１４】
2015110018.tif 000016
【図１５】
2015110018.tif 000017
【図１６】
2015110018.tif 000018
【図１７】
2015110018.tif 000019
【図１８】
2015110018.tif 000020
【図１９】
2015110018.tif 000021